(57)【要約】【課題】溶接作業を必要とせず、Ｈ形鋼のフランジとデッキプレートとを迅速かつ効率的に連結することができるデッキプレート連結金具を提供する。【解決手段】デッキプレート連結金具１０Ａは、前後方向へ延びる第１板１３と、第１板１３の前端縁２０につながって上下方向へ延びる第２板１４と、第２板１４の上端縁２６につながって前後方向へ延びる第３板１５と、第３板１５の後端縁３１につながって上下方向へ延びる第４板１６とから形成され、Ｈ形鋼のフランジに嵌め込む嵌合部１１と、Ｈ形鋼のフランジに載置されたデッキプレートの端部を挟み込む挟持部１２とを有する。デッキプレート連結金具１０Ａでは、第１〜第３板１３〜１５から形成された嵌合部１１を介して連結金具１０Ａがフランジに取り付けられ、第３および第４板１５，１６から形成された挟持部１２を介してデッキプレートの端部がＨ形鋼のフランジに連結される。【選択図】図１
2018115449.tif 000002
【特許請求の範囲】
【請求項１】
所定面積のデッキプレートを建造物の梁を形成する鋼材に連結するデッキプレート連結金具において、
前記デッキプレート連結金具が、前記鋼材のフランジに嵌め込む嵌合部と、前記鋼材のフランジに載置された前記デッキプレートの端部を挟み込む挟持部とを有し、前記デッキプレート連結金具では、前記嵌合部を介して前記連結金具が前記フランジに取り付けられ、前記挟持部を介して前記デッキプレートの端部が前記鋼材のフランジに連結されることを特徴とするデッキプレート連結金具。
【請求項２】
前記デッキプレート連結金具が、前後方向へ延びる所定面積の第１板と、前記第１板の前端縁につながって上下方向へ延びる所定面積の第２板と、前記第２板の上端縁につながって前後方向へ延びていて前記デッキプレートの端部が載置される所定面積の第３板と、前記第３板の後端縁につながって上下方向へ延びていて前後方向前方へ折り曲げられる所定面積の第４板とから形成され、前記嵌合部が、それを前記フランジに嵌め込んだときに、該フランジの下面に当接する前記第１板と該フランジの端面に当接する前記第２板と該フランジの上面に当接する前記第３板とから形成され、前記挟持部が、前記デッキプレートの端部の下面に当接する前記第３板と、前後方向前方へ折り曲げられたときに該デッキプレートの端部の上面に当接する前記第４板とから形成されている請求項１に記載のデッキプレート連結金具。
【請求項３】
前記第３板が、その前端縁から後端縁に向かって前記第１板に次第に近づくように下り勾配に傾斜し、前記第１板の後端縁と前記第３板の後端縁との間の離間寸法が、前記フランジの厚み寸法よりも小さい請求項２に記載のデッキプレート連結金具。
【請求項４】
前記第１板が、その前端縁から後端縁に向かって前記第３板に次第に近づくように上り勾配に傾斜し、前記第１板の後端縁と前記第３板の後端縁との間の離間寸法が、前記フランジの厚み寸法よりも小さい請求項２または請求項３に記載のデッキプレート連結金具。
【請求項５】
前記第１板の前端縁から後端縁までの長さ寸法が、前記第３板の前端縁から後端縁までの長さ寸法よりも長く、前記第１板の後端縁近傍が、前記第３板の後端縁の前後方向後方に位置している請求項２ないし請求項４いずれかに記載のデッキプレート連結金具。
【請求項６】
前記第４板が、その下端縁から上端縁に向かって前記第３板に次第に近づくように上り勾配に傾斜している請求項２ないし請求項５いずれかに記載のデッキプレート連結金具。
【請求項７】
前記第４板の下端縁から上端縁までの長さ寸法が、前記第３板の前端縁から後端縁までの長さ寸法よりも長く、前記デッキプレート連結金具では、前記第４板が前後方向前方へ折り曲げられたときに該第４板の上端縁近傍が前記第３板の前端縁から前後方向前方に位置する請求項２ないし請求項６いずれかに記載のデッキプレート連結金具。
【請求項８】
前記デッキプレート連結金具が、前記フランジから前後方向前方に位置する前記デッキプレートの端部と該フランジから前後方向前方に位置する前記第４板の上端縁近傍とを連結する螺子部材を含む請求項７に記載のデッキプレート連結金具。
【請求項９】
前記梁が、Ｈ形鋼、ラチス梁、トラス梁、帯板梁、プレート梁のうちのいずれかである請求項１ないし請求項８いずれかに記載のデッキプレート連結金具。
【請求項１０】
所定面積のデッキプレートを建造物の梁を形成する鋼材に連結するデッキプレート連結方法において、
前記デッキプレート連結方法が、前記鋼材のフランジに嵌め込む嵌合部と前記鋼材のフランジに載置された前記デッキプレートの端部を挟み込む挟持部とを有するデッキプレート連結金具を利用し、前記デッキプレート連結金具の嵌合部を前記鋼材のフランジに嵌め込んで該連結金具を前記フランジに取り付ける嵌合工程と、前記連結金具の挟持部で前記デッキプレートの端部を挟み込んで該デッキプレートの端部を前記鋼材のフランジに連結する挟持工程とを有することを特徴とするデッキプレート連結方法。
【請求項１１】
前記デッキプレート連結金具の嵌合部が、前後方向へ延びる所定面積の第１板と、前記第１板の前端縁につながって上下方向へ延びる所定面積の第２板と、前記第２板の上端縁につながって前後方向へ延びていて前記デッキプレートの端部が載置される所定面積の第３板とから形成され、前記デッキプレート連結金具の挟持部が、前記第３板と、前記第３板の後端縁につながって上下方向へ延びていて前後方向前方へ折り曲げられる所定面積の第４板とから形成され、前記嵌合工程では、前記第１板と前記第３板との間に前記フランジを挿入し、前記第１板が前記フランジの下面に当接し、前記第２板が前記フランジの端面に当接するとともに、前記第３板が前記フランジの上面に当接した状態で前記嵌合部を該フランジに嵌め込み、前記挟持工程では、前記デッキプレートの端部を前記第３板の上面に載置しつつ、前記第４板を前記第３板に向かって前後方向前方へ折り曲げ、前記第４板が前記デッキプレートの端部の上面に密着し、前記第３板が前記デッキプレートの端部の下面に密着した状態で前記挟持部によって該デッキプレートの端部を挟み込む請求項１０に記載のデッキプレート連結方法。
【請求項１２】
前記デッキプレート連結金具の第３板が、その前端縁から後端縁に向かって前記第１板に次第に近づくように下り勾配に傾斜し、前記第１板の後端縁と前記第３板の後端縁との間の離間寸法が、前記フランジの厚み寸法よりも小さく、前記嵌合工程では、前記第１板と前記第３板とを上下方向へ離間させるようにそれら板を上下方向へ拡げた状態で前記嵌合部を前記フランジに嵌め込み、前記第１板と前記第３板との弾性変形を利用してそれら板を前記フランジに密着させて前記デッキプレート連結金具を前記フランジに取り付ける請求項１１に記載のデッキプレート連結方法。
【請求項１３】
前記デッキプレート連結金具の第１板が、その前端縁から後端縁に向かって前記第３板に次第に近づくように上り勾配に傾斜し、前記第１板の後端縁と前記第３板の後端縁との間の離間寸法が、前記フランジの厚み寸法よりも小さく、前記嵌合工程では、前記第１板と前記第３板とを上下方向へ離間させるようにそれら板を上下方向へ拡げた状態で前記嵌合部を前記フランジに嵌め込み、前記第１板と前記第３板との弾性変形を利用してそれら板を前記フランジに密着させて前記デッキプレート連結金具を前記フランジに取り付ける請求項１１または請求項１２に記載のデッキプレート連結方法。
【請求項１４】
前記デッキプレート連結金具の第１板の前端縁から後端縁までの長さ寸法が、前記第３板の前端縁から後端縁までの長さ寸法よりも長く、前記第１板の後端縁近傍が、前記第３板の後端縁の前後方向後方に位置し、前記嵌合工程では、前記第１板の後端縁近傍を前記フランジの下面に引っ掛けた状態で該第１板と前記第３板とが上下方向へ離間するようにそれら板を上下方向へ拡げつつ前記嵌合部を前記フランジに嵌め込む請求項１１ないし請求項１３いずれかに記載のデッキプレート連結方法。
【請求項１５】
前記デッキプレート連結金具の第４板が、その下端縁から上端縁に向かって前記第３板に次第に近づくように上り勾配に傾斜し、前記挟持工程では、傾斜する前記第４板を下方に向かって押圧して該第４板を前記第３板に向かって前後方向前方へ折り曲げ、前記第４板と前記第３板とで前記デッキプレートの端部を挟み込む請求項１１ないし請求項１４いずれかに記載のデッキプレート連結方法。
【請求項１６】
前記デッキプレート連結金具の第４板の下端縁から上端縁までの長さ寸法が、前記第３板の前端縁から後端縁までの長さ寸法よりも長く、前記デッキプレート連結方法が、前記挟持工程によって前記デッキプレート連結金具の第４板を前後方向前方へ折り曲げたときに前記第３板の前端縁から前後方向前方に位置する該第４板の上端縁近傍を螺子部材を介して前記フランジから前後方向前方に位置する前記デッキプレートの端部に連結する螺着工程を含む請求項１１ないし請求項１５いずれかに記載のデッキプレート連結方法。
【発明の詳細な説明】
【技術分野】
【０００１】
本発明は、所定面積のデッキプレートを建造物の梁を形成する鋼材に連結するデッキプレート連結金具および所定面積のデッキプレートを建造物の梁を形成する鋼材に連結するデッキプレート連結方法に関する。
【背景技術】
【０００２】
メッキ処理が施された所定面積の鉄板ベースと、鉄板ベースの上面に設置された複数の鉄筋トラスとから形成され、床スラブや天井スラブ、屋根スラブ等の所定面積の鉄筋コンクリート構造物の構築に使用されるデッキプレートが開示されている（特許文献１参照）。鉄筋トラスは、鉄板ベースの上面から上方へ離間して縦方向へ延びる上端筋と、鉄板ベースと上端筋との間に位置して縦方向へ延びる下端筋と、鉄板ベースと上端筋との間で上下方向へ波状に曲折を繰り返しながら前後方向へ延びるラチス筋とから形成されている。このデッキプレートでは、ラチス筋の上方凸部が上端筋に当接した状態で上端筋にスポット溶接され、ラチス筋の中間部が下端筋に当接した状態で下端筋にスポット溶接されている。さらに、鉄板ベースと並行するように幅方向外方へ屈曲したラチス筋の下方凹部の屈曲部分が鉄板ベースの上面にスポット溶接されている。デッキプレートでは、複数のそれらを建造物のＨ形鋼（横梁）の間に架け渡した後、鉄板ベースの上面に所定の被り寸法でコンクリートを打設する。
【先行技術文献】
【特許文献】
【０００３】
【特許文献１】特開２００７−１７０１６１号公報
【発明の概要】
【発明が解決しようとする課題】
【０００４】
前記特許文献１に開示のデッキプレートを建造物の互いに対向するＨ形鋼（横梁）の間に設置するには、それらデッキプレートの鉄板ベースの両端部をそれらＨ形鋼のフランジの上に載置し、鉄板ベースの両端部をそれらＨ形鋼のフランジに溶接することで、デッキプレートをＨ形鋼のフランジに連結する。溶接によってＨ形鋼（横梁）とそれらデッキプレートとを連結するから、溶接作業にともなう手間と時間とを要するとともに、溶接技術を備えた溶接工による溶接作業が必要となり、溶接工以外の作業者がＨ形鋼（横梁）とデッキプレートとの連結作業を行うことができず、Ｈ形鋼（横梁）とそれらデッキプレートとを迅速かつ効率的に連結することができない。なお、火気を嫌う場所では溶接による火花の発生は好ましくなく、溶接以外の工程（手段）によってＨ形鋼（横梁）とデッキプレートとを連結する必要がある。
【０００５】
本発明の目的は、溶接作業を必要とせず、鋼材のフランジとデッキプレートとを迅速かつ効率的に連結することができるデッキプレート連結金具およびデッキプレート連結方法を提供することにある。本発明の他の目的は、火気を嫌う場所において火花を発生させることなく、鋼材のフランジとデッキプレートとを連結することができるデッキプレート連結金具およびデッキプレート連結方法を提供することにある。
【課題を解決するための手段】
【０００６】
前記課題を解決するための本発明の第１の前提は、所定面積のデッキプレートを建造物の梁を形成する鋼材に連結するデッキプレート連結金具である。
【０００７】
前記第１の前提における本発明の特徴は、デッキプレート連結金具が、鋼材のフランジに嵌め込む嵌合部と、鋼材のフランジに載置されたデッキプレートの端部を挟み込む挟持部とを有し、デッキプレート連結金具では、嵌合部を介して連結金具がフランジに取り付けられ、挟持部を介してデッキプレートの端部が鋼材のフランジに連結されることにある。
【０００８】
本発明のデッキプレート連結金具の一例としては、デッキプレート連結金具が、前後方向へ延びる所定面積の第１板と、第１板の前端縁につながって上下方向へ延びる所定面積の第２板と、第２板の上端縁につながって前後方向へ延びていてデッキプレートの端部が載置される所定面積の第３板と、第３板の後端縁につながって上下方向へ延びていて前後方向前方へ折り曲げられる所定面積の第４板とから形成され、嵌合部が、それをフランジに嵌め込んだときに、フランジの下面に当接する第１板とフランジの端面に当接する第２板とフランジの上面に当接する第３板とから形成され、挟持部が、デッキプレートの端部の下面に当接する第３板と、前後方向前方へ折り曲げられたときにデッキプレートの端部の上面に当接する第４板とから形成されている。
【０００９】
本発明のデッキプレート連結金具の他の一例としては、第３板がその前端縁から後端縁に向かって第１板に次第に近づくように下り勾配に傾斜し、第１板の後端縁と第３板の後端縁との間の離間寸法がフランジの厚み寸法よりも小さい。
【００１０】
本発明のデッキプレート連結金具の他の一例としては、第１板がその前端縁から後端縁に向かって第３板に次第に近づくように上り勾配に傾斜し、第１板の後端縁と第３板の後端縁との間の離間寸法がフランジの厚み寸法よりも小さい。
【００１１】
本発明のデッキプレート連結金具の他の一例としては、第１板の前端縁から後端縁までの長さ寸法が第３板の前端縁から後端縁までの長さ寸法よりも長く、第１板の後端縁近傍が第３板の後端縁の前後方向後方に位置している。
【００１２】
本発明のデッキプレート連結金具の他の一例としては、第４板がその下端縁から上端縁に向かって第３板に次第に近づくように上り勾配に傾斜している。
【００１３】
本発明のデッキプレート連結金具の他の一例としては、第４板の下端縁から上端縁までの長さ寸法が第３板の前端縁から後端縁までの長さ寸法よりも長く、デッキプレート連結金具では、第４板が前後方向前方へ折り曲げられたときに第４板の上端縁近傍が第３板の前端縁から前後方向前方に位置する。
【００１４】
本発明のデッキプレート連結金具の他の一例としては、デッキプレート連結金具がフランジから前後方向前方に位置するデッキプレートの端部とフランジから前後方向前方に位置する第４板の上端縁近傍とを連結する螺子部材を含む。
【００１５】
本発明のデッキプレート連結金具の他の一例としては、梁がＨ形鋼、ラチス梁、トラス梁、帯板梁、プレート梁のうちのいずれかである。
【００１６】
前記課題を解決するための本発明の第２の前提は、所定面積のデッキプレートを建造物の梁を形成する鋼材に連結するデッキプレート連結方法である。
【００１７】
前記第２の前提における本発明の特徴は、デッキプレート連結方法が、鋼材のフランジに嵌め込む嵌合部と鋼材のフランジに載置されたデッキプレートの端部を挟み込む挟持部とを有するデッキプレート連結金具を利用し、デッキプレート連結金具の嵌合部を鋼材のフランジに嵌め込んで連結金具をフランジに取り付ける嵌合工程と、連結金具の挟持部でデッキプレートの端部を挟み込んでデッキプレートの端部を鋼材のフランジに連結する挟持工程とを有することにある。
【００１８】
本発明のデッキプレート連結方法の一例としては、デッキプレート連結金具の嵌合部が、前後方向へ延びる所定面積の第１板と、第１板の前端縁につながって上下方向へ延びる所定面積の第２板と、第２板の上端縁につながって前後方向へ延びていてデッキプレートの端部が載置される所定面積の第３板とから形成され、デッキプレート連結金具の挟持部が、第３板と、第３板の後端縁につながって上下方向へ延びていて前後方向前方へ折り曲げられる所定面積の第４板とから形成され、嵌合工程では、第１板と第３板との間に鋼材のフランジを挿入し、第１板がフランジの下面に当接し、第２板がフランジの端面に当接するとともに、第３板がフランジの上面に当接した状態で嵌合部をフランジに嵌め込み、挟持工程では、デッキプレートの端部を第３板の上面に載置しつつ、第４板を第３板に向かって前後方向前方へ折り曲げ、第４板がデッキプレートの端部の上面に密着し、第３板がデッキプレートの端部の下面に密着した状態で挟持部によってデッキプレートの端部を挟み込む。
【００１９】
本発明のデッキプレート連結方法の他の一例としては、デッキプレート連結金具の第３板がその前端縁から後端縁に向かって第１板に次第に近づくように下り勾配に傾斜し、第１板の後端縁と第３板の後端縁との間の離間寸法が鋼材のフランジの厚み寸法よりも小さく、嵌合工程では、第１板と第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付ける。
【００２０】
本発明のデッキプレート連結方法の他の一例としては、デッキプレート連結金具の第１板がその前端縁から後端縁に向かって第３板に次第に近づくように上り勾配に傾斜し、第１板の後端縁と第３板の後端縁との間の離間寸法が鋼材のフランジの厚み寸法よりも小さく、嵌合工程では、第１板と第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付ける。
【００２１】
本発明のデッキプレート連結方法の他の一例としては、デッキプレート連結金具の第１板の前端縁から後端縁までの長さ寸法が第３板の前端縁から後端縁までの長さ寸法よりも長く、第１板の後端縁近傍が第３板の後端縁の前後方向後方に位置し、嵌合工程では、第１板の後端縁近傍を鋼材のフランジの下面に引っ掛けた状態で第１板と第３板とが上下方向へ離間するようにそれら板を上下方向へ拡げつつ嵌合部をフランジに嵌め込む。
【００２２】
本発明のデッキプレート連結方法の他の一例としては、デッキプレート連結金具の第４板がその下端縁から上端縁に向かって第３板に次第に近づくように上り勾配に傾斜し、挟持工程では、傾斜する第４板を下方に向かって押圧して第４板を第３板に向かって前後方向前方へ折り曲げ、第４板と第３板とでデッキプレートの端部を挟み込む。
【００２３】
本発明のデッキプレート連結方法の他の一例としては、デッキプレート連結金具の第４板の下端縁から上端縁までの長さ寸法が第３板の前端縁から後端縁までの長さ寸法よりも長く、デッキプレート連結方法が、挟持工程によってデッキプレート連結金具の第４板を前後方向前方へ折り曲げたときに第３板の前端縁から前後方向前方に位置する第４板の上端縁近傍を螺子部材を介してフランジから前後方向前方に位置するデッキプレートの端部に連結する螺着工程を含む。
【発明の効果】
【００２４】
本発明にかかるデッキプレート連結金具によれば、鋼材（建造物の梁）のフランジに嵌め込む嵌合部と鋼材のフランジに載置されたデッキプレートの端部を挟み込む挟持部とを有し、嵌合部を介して連結金具がフランジに取り付けられ、挟持部を介してデッキプレートの端部が鋼材のフランジに連結されるから、溶接技術を備えた溶接工による溶接作業が不要となり、溶接工以外の作業者が鋼材とデッキプレートとの連結作業を行うことができ、溶接作業にともなう手間と時間とを要することはなく、鋼材（梁）のフランジとデッキプレートとを迅速かつ効率的に連結することができる。デッキプレート連結金具は、鋼材（梁）のフランジとデッキプレートとの連結に溶接作業が不要であるから、火気を嫌う場所において火花を発生させることなく鋼材のフランジとデッキプレートとを安全に連結することができる。
【００２５】
前後方向へ延びる所定面積の第１板と、第１板の前端縁につながって上下方向へ延びる所定面積の第２板と、第２板の上端縁につながって前後方向へ延びていてデッキプレートの端部が載置される所定面積の第３板と、第３板の後端縁につながって上下方向へ延びていて前後方向前方へ折り曲げられる所定面積の第４板とから形成され、嵌合部がそれをフランジに嵌め込んだときにフランジの下面に当接する第１板とフランジの端面に当接する第２板とフランジの上面に当接する第３板とから形成され、挟持部がデッキプレートの端部の下面に当接する第３板と前後方向前方へ折り曲げられたときにデッキプレートの端部の上面に当接する第４板とから形成されているデッキプレート連結金具は、嵌合部を形成する第１板が鋼材のフランジの下面に当接（密着）し、第２板がフランジの端面に当接（密着）するとともに、第３板がフランジの上面に当接（密着）するから、第１〜第３板から形成された嵌合部を介してデッキプレート連結金具を鋼材のフランジに確実に取り付けることができ、挟持部を形成する第３板がデッキプレートの端部の下面に当接（密着）し、前後方向前方へ折り曲げられた第４板がデッキプレートの端部の上面に当接（密着）することで、第３および第４板がデッキプレートの端部を挟み込むから、第３および第４板から形成された挟持部を介してデッキプレートの端部を鋼材のフランジに確実に連結することができる。デッキプレート連結金具は、第１〜第３板から形成された嵌合部を鋼材のフランジに嵌め込み、第３および第４板から形成された挟持部によってデッキプレートの端部を挟み込むことで、鋼材のフランジとデッキプレートとを連結することができるから、溶接作業が不要となり、溶接作業にともなう手間や時間を要することはなく、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。
【００２６】
第３板がその前端縁から後端縁に向かって第１板に次第に近づくように下り勾配に傾斜し、第１板の後端縁と第３板の後端縁との間の離間寸法が鋼材のフランジの厚み寸法よりも小さいデッキプレート連結金具は、第１および第３板の弾性力に抗して第１および第３板を上下方向へ拡げ、その状態で第１〜第３板から形成された嵌合部をフランジに嵌め込むことで、第１および第３板の弾性変形を利用してそれら板をフランジに密着させることができ、鋼材のフランジに対して嵌合部が不用意に遊動することはなく、嵌合部を介してデッキプレート連結金具を鋼材のフランジに確実に取り付けることができる。
【００２７】
第１板がその前端縁から後端縁に向かって第３板に次第に近づくように上り勾配に傾斜し、第１板の後端縁と第３板の後端縁との間の離間寸法がフランジの厚み寸法よりも小さいデッキプレート連結金具は、第１および第３板の弾性力に抗して第１および第３板を上下方向へ拡げ、その状態で第１〜第３板から形成された嵌合部をフランジに嵌め込むことで、第１および第３板の弾性変形を利用してそれら板をフランジに密着させることができ、鋼材のフランジに対して嵌合部が不用意に遊動することはなく、嵌合部を介してデッキプレート連結金具を鋼材のフランジに確実に取り付けることができる。
【００２８】
第１板の前端縁から後端縁までの長さ寸法が第３板の前端縁から後端縁までの長さ寸法よりも長く、第１板の後端縁近傍が第３板の後端縁の前後方向後方に位置しているデッキプレート連結金具は、第１板の後端縁近傍をフランジの下面に引っ掛けた状態で第１および第３板の弾性力に抗して第１および第３板を上下方向へ拡げ、その状態で第１〜第３板から形成された嵌合部をフランジに嵌め込むことができるから、嵌合部をフランジに容易に嵌め込むことができ、嵌合部を介してデッキプレート連結金具を鋼材のフランジに迅速に取り付けることができる。
【００２９】
第４板がその下端縁から上端縁に向かって第３板に次第に近づくように上り勾配に傾斜しているデッキプレート連結金具は、第４板がその下端縁から上端縁に向かって第３板に次第に近づくように上り勾配に傾斜することで、傾斜する第４板を下方に向かって容易に押圧することができ、第４板を第３板に向かって前後方向前方へ容易に折り曲げることができるから、第３および第４板をデッキプレートの端部の上下面に確実に当接（密着）させることができ、第３および第４板から形成された挟持部を介してデッキプレートの端部を鋼材のフランジに容易に連結することができる。
【００３０】
第４板の下端縁から上端縁までの長さ寸法が第３板の前端縁から後端縁までの長さ寸法よりも長く、第４板が前後方向前方へ折り曲げられたときに第４板の上端縁近傍が第３板の前端縁から前後方向前方に位置するデッキプレート連結金具は、第４板が前後方向前方へ折り曲げられたときに第４板の上端縁近傍が第３板の前端縁から前後方向前方に位置（延在）することで、第４板をデッキプレートの端部の上面に広範囲に当接（密着）させることができ、第３および第４板から形成された挟持部を介してデッキプレートの端部を鋼材のフランジに確実に連結することができる。
【００３１】
鋼材のフランジから前後方向前方に位置するデッキプレートの端部とフランジから前後方向前方に位置する第４板の上端縁近傍とを連結する螺子部材を含むデッキプレート連結金具は、フランジから前後方向前方に位置するデッキプレートの端部とフランジから前後方向前方に位置する第４板の上端縁近傍とを螺子部材によって連結することで、第３および第４板から形成された挟持部によってデッキプレートの端部を挟み込むのみならず、螺子部材によって鋼材のフランジとデッキプレートの端部とを連結することができ、挟持部と螺子部材とを介してデッキプレートの端部を鋼材のフランジに確実に連結することができる。
【００３２】
梁がＨ形鋼、ラチス梁、トラス梁、帯板梁、プレート梁のうちのいずれかであるデッキプレート連結金具は、Ｈ形鋼やラチス梁、トラス梁、帯板梁、プレート梁の鋼材のフランジに嵌め込む嵌合部を介して連結金具がフランジに取り付けられ、デッキプレートの端部を挟み込む挟持部を介してデッキプレートの端部がＨ形鋼やラチス梁、トラス梁、帯板梁、プレート梁の鋼材のフランジに連結されるから、溶接技術を備えた溶接工による溶接作業が不要となり、溶接工以外の作業者がＨ形鋼やラチス梁、トラス梁、帯板梁、プレート梁とデッキプレートとの連結作業を行うことができ、溶接作業にともなう手間と時間とを要することはなく、Ｈ形鋼やラチス梁、トラス梁、帯板梁、プレート梁のフランジとデッキプレートとを迅速かつ効率的に連結することができる。デッキプレート連結金具は、Ｈ形鋼やラチス梁、トラス梁、帯板梁、プレート梁の鋼材のフランジとデッキプレートとの連結に溶接作業が不要であるから、火気を嫌う場所において火花を発生させることなく、Ｈ形鋼やラチス梁、トラス梁、帯板梁、プレート梁のフランジとデッキプレートとを連結することができる。
【００３３】
本発明にかかるデッキプレート連結方法によれば、鋼材（建造物の梁）のフランジに嵌め込む嵌合部と鋼材のフランジに載置されたデッキプレートの端部を挟み込む挟持部とを有するデッキプレート連結金具を利用し、デッキプレート連結金具の嵌合部を鋼材のフランジに嵌め込んで連結金具をフランジに取り付け、デッキプレート連結金具の挟持部でデッキプレートの端部を挟み込んでデッキプレートの端部を鋼材のフランジに連結するから、溶接技術を備えた溶接工による溶接作業が不要となり、溶接工以外の作業者が鋼材とデッキプレートとの連結作業を行うことができ、溶接作業にともなう手間と時間とを要することはなく、鋼材（梁）のフランジとデッキプレートとを迅速かつ効率的に連結することができる。デッキプレート連結方法は、鋼材（梁）のフランジとデッキプレートとの連結に溶接作業が不要であるから、火気を嫌う場所において火花を発生させることなく鋼材のフランジとデッキプレートとを連結することができる。
【００３４】
デッキプレート連結金具の嵌合部が前後方向へ延びる所定面積の第１板と第１板の前端縁につながって上下方向へ延びる所定面積の第２板と第２板の上端縁につながって前後方向へ延びていてデッキプレートの端部が載置される所定面積の第３板とから形成され、デッキプレート連結金具の挟持部が第３板と第３板の後端縁につながって上下方向へ延びていて前後方向前方へ折り曲げられる所定面積の第４板とから形成され、第１板と第３板との間にフランジを挿入し、第１板がフランジの下面に当接し、第２板がフランジの端面に当接するとともに、第３板がフランジの上面に当接した状態で嵌合部をフランジに嵌め込み、デッキプレートの端部を第３板の上面に載置しつつ、第４板を第３板に向かって前後方向前方へ折り曲げ、第４板がデッキプレートの端部の上面に密着し、第３板がデッキプレートの端部の下面に密着した状態で挟持部によってデッキプレートの端部を挟み込むデッキプレート連結方法は、嵌合工程において第１板が鋼材のフランジの下面に当接（密着）し、第２板がフランジの端面に当接（密着）するとともに、第３板がフランジの上面に当接（密着）するから、第１〜第３板から形成された嵌合部をフランジに嵌め込むことでデッキプレート連結金具を鋼材のフランジに確実に取り付けることができ、挟持工程において第３板がデッキプレートの端部の下面に当接（密着）し、前後方向前方へ折り曲げられた第４板がデッキプレートの端部の上面に当接（密着）することで、第３および第４板がデッキプレートの端部を挟み込むから、第３および第４板から形成された挟持部を介してデッキプレートの端部を鋼材のフランジに確実に連結することができる。デッキプレート連結方法は、第１〜第３板から形成されたデッキプレート連結金具の嵌合部を鋼材のフランジに嵌め込み、第３および第４板から形成されたデッキプレート連結金具の挟持部によってデッキプレートの端部を挟み込むことで、鋼材のフランジとデッキプレートとを連結することができるから、溶接作業が不要となり、溶接作業にともなう手間や時間を要することはなく、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを連結することができる。
【００３５】
デッキプレート連結金具の第３板がその前端縁から後端縁に向かって第１板に次第に近づくように下り勾配に傾斜し、第１板の後端縁と第３板の後端縁との間の離間寸法がフランジの厚み寸法よりも小さく、第１板と第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付けるデッキプレート連結方法は、第１および第３板の弾性力に抗して第１および第３板を上下方向へ拡げ、その状態で第１〜第３板から形成された嵌合部をフランジに嵌め込むことで、第１および第３板が弾性変形してフランジを強く挟み込むから、第１および第３板の弾性変形（挟持力）を利用してそれら板をフランジに密着させることができ、鋼材のフランジに対してデッキプレート連結金具の嵌合部が不用意に遊動することはなく、嵌合部を介してデッキプレート連結金具を鋼材のフランジに確実に取り付けることができる。
【００３６】
デッキプレート連結金具の第１板がその前端縁から後端縁に向かって第３板に次第に近づくように上り勾配に傾斜し、第１板の後端縁と第３板の後端縁との間の離間寸法がフランジの厚み寸法よりも小さく、第１板と前記第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付けるデッキプレート連結方法は、第１および第３板の弾性力に抗して第１および第３板を上下方向へ拡げ、その状態で第１〜第３板から形成された嵌合部をフランジに嵌め込むことで、第１および第３板が弾性変形してフランジを強く挟み込むから、第１および第３板の弾性変形（挟持力）を利用してそれら板をフランジに密着させることができ、鋼材のフランジに対してデッキプレート連結金具の嵌合部が不用意に遊動することはなく、嵌合部を介してデッキプレート連結金具を鋼材のフランジに確実に取り付けることができる。
【００３７】
デッキプレート連結金具の第１板の前端縁から後端縁までの長さ寸法が第３板の前端縁から後端縁までの長さ寸法よりも長く、第１板の後端縁近傍が第３板の後端縁の前後方向後方に位置し、第１板の後端縁近傍をフランジの下面に引っ掛けた状態で第１板と第３板とが上下方向へ離間するようにそれら板を上下方向へ拡げつつ嵌合部をフランジに嵌め込むデッキプレート連結方法は、第１板の後端縁近傍をフランジの下面に引っ掛けた状態で第１および第３板の弾性力に抗して第１および第３板を上下方向へ拡げ、その状態で第１〜第３板から形成されたデッキプレート連結金具の嵌合部をフランジに嵌め込むから、嵌合部をフランジに容易に嵌め込むことができ、嵌合部を介してデッキプレート連結金具を鋼材のフランジに迅速に取り付けることができる。
【００３８】
デッキプレート連結金具の第４板がその下端縁から上端縁に向かって第３板に次第に近づくように上り勾配に傾斜し、傾斜する第４板を下方に向かって押圧して第４板を第３板に向かって前後方向前方へ折り曲げ、第４板と第３板とでデッキプレートの端部を挟み込むデッキプレート連結方法は、下端縁から上端縁に向かって第３板に次第に近づくように上り勾配に傾斜する第４板を下方に向かって容易に押圧することができ、第４板を第３板に向かって前後方向前方へ容易に折り曲げることができるから、第３および第４板をデッキプレートの端部の上下面に確実に当接（密着）させることができ、第３および第４板から形成された挟持部を介してデッキプレートの端部を鋼材のフランジに容易に連結することができる。
【００３９】
デッキプレート連結金具の第４板の下端縁から上端縁までの長さ寸法が第３板の前端縁から後端縁までの長さ寸法よりも長く、デッキプレート連結金具の第４板を前後方向前方へ折り曲げたときに第３板の前端縁から前後方向前方に位置する第４板の上端縁近傍を螺子部材を介してフランジから前後方向前方に位置するデッキプレートの端部に連結するデッキプレート連結方法は、デッキプレート連結金具の第４板が前後方向前方へ折り曲げられたときに第４板の上端縁近傍が第３板の前端縁から前後方向前方に位置（延在）することで、第４板をデッキプレートの端部の上面に広範囲に当接（密着）させることができ、第３および第４板から形成された挟持部を介してデッキプレートの端部を鋼材のフランジに確実に連結することができる。デッキプレート連結方法は、フランジから前後方向前方に位置するデッキプレートの端部とフランジから前後方向前方に位置する第４板の上端縁近傍とを螺子部材によって連結することで、第３および第４板から形成されたデッキプレート連結金具の挟持部によってデッキプレートの端部を挟み込むのみならず、螺子部材によって鋼材のフランジとデッキプレートの端部とを連結することができ、挟持部と螺子部材とを介してデッキプレートの端部を鋼材のフランジに確実に連結することができる。
【図面の簡単な説明】
【００４０】
【図１】一例として示すデッキプレート連結金具の斜視図。
【図２】図１のデッキプレート連結金具の正面図。
【図３】図１のデッキプレート連結金具の背面図。
【図４】図１のデッキプレート連結金具の側面図。
【図５】図１のデッキプレート連結金具の上面図。
【図６】Ｈ形鋼のフランジにデッキプレート連結金具を取り付ける取付手順の一例を説明する図。
【図７】図６から続く取付手順を説明する図。
【図８】Ｈ形鋼のフランジにデッキプレート連結金具を取り付けた後の図。
【図９】デッキプレート連結金具の第３板の上面にデッキプレートの端部を載置した後の図。
【図１０】デッキプレート連結金具の第３板の上面にデッキプレートの端部を載置した状態の斜視図。
【図１１】デッキプレート連結金具を使用してＨ形鋼のフランジにデッキプレートを連結する連結手順の一例を説明する図。
【図１２】図１１から続く連結手順を説明する図。
【図１３】図１２から続く連結手順を説明する図。
【図１４】他の一例として示すデッキプレート連結金具の斜視図。
【図１５】図１４のデッキプレート連結金具の側面図。
【図１６】他の一例として示すデッキプレート連結金具の斜視図。
【図１７】図１６のデッキプレート連結金具を利用してデッキプレートの端部をＨ形鋼のフランジに連結した場合の斜視図。
【発明を実施するための形態】
【００４１】
一例として示すデッキプレート連結金具１０Ａの斜視図である図１等の添付の図面を参照し、本発明に係るデッキプレート連結金具およびデッキプレート連結方法の詳細を説明すると、以下のとおりである。なお、図２は、デッキプレート連結金具１０Ａの正面図であり、図３は、デッキプレート連結金具１０Ａの背面図である。図４は、デッキプレート連結金具１０Ａの側面図であり、図５は、デッキプレート連結金具１０Ａの上面図である。図１では、前後方向を矢印Ａ、横方向を矢印Ｂで示し、上下方向を矢印Ｃで示す。
【００４２】
デッキプレート連結金具１０Ａ（後記するデッキプレート連結金具１０Ｂ，１０Ｃを含む）は、可撓性を有する弾性変形可能な鉄板を折り曲げることから作られ、所定面積のデッキプレート４６（図８参照）を建造物の梁４０を形成する鋼材４１（Ｈ形鋼４１ａ）（図６参照）に連結する場合に使用されるとともに、デッキプレート４６を建造物の梁４０を形成する鋼材４１に連結するデッキプレート連結方法において利用される。梁４０には、Ｈ形鋼、ラチス梁、トラス梁、帯板梁、プレート梁があり、それら梁４０を形成する鋼材４１には、Ｈ形鋼や山形鋼がある。なお、デッキプレート連結金具１０Ａ（デッキプレート連結金具１０Ｂ，１０Ｃを含む）がステンレス板、アルミ板、銅板、真鍮板等の金属板から作られていてもよい。
【００４３】
デッキプレート連結金具１０Ａは、梁４０を形成する鋼材４１のフランジ４２に嵌め込む嵌合部１１と、鋼材４１のフランジ４２に載置されたデッキプレート４６の端部４７を挟み込む挟持部１２とを有する。デッキプレート連結金具１０Ａは、前後方向へ延びる所定面積の第１板１３（第１板部分）と、上下方向へ延びる所定面積の第２板１４（第２板部分）と、前後方向へ延びる所定面積の第３板１５（第３板部分）と、上下方向へ延びる所定面積の第４板１６（第４板部分）と、螺子部材１７（図１３参照）とから形成されている。デッキプレート連結金具１０Ａの嵌合部１１は、第１板１３と第２板１４と第３板１５とから形成されている。デッキプレート連結金具１０Ａの挟持部１２は、第３板１５と第４板１６とから形成されている。
【００４４】
第１板１３（第１板部分）は、前後方向へ長く、その平面形状が方形（長方形）である。第１板１３は、上面１８および下面１９と、前後方向前方に位置して横方向へ延びる前端縁２０と、前後方向後方に位置して横方向へ延びる後端縁２１と、前後端縁２０，２１の間に位置して前後方向へ延びる両側縁２２とを有する。第１板１３は、嵌合部１１を鋼材４１のフランジ４２に嵌め込んだときに、その上面１８がフランジ４２の下面４３に当接（密着）する。
【００４５】
第１板１３の前端縁２０から後端縁２１までの前後方向の長さ寸法Ｌ１や両側縁２２の間の横方向の幅寸法Ｌ２に特に制限はなく、鋼材４１のフランジ４２の長さ（大きさ）やデッキプレート４６の大きさ等にあわせて長さ寸法Ｌ１や幅寸法Ｌ２を自由に設定することができる。第１板１３の平面形状に特に制限はなく、方形の他に、他のあらゆる形状を採用することができる。
【００４６】
第２板１４（第２板部分）は、その平面形状が方形（長方形）であり、第１板１３の前端縁２０に一体につながり、第１板１３に対して略直交している。第２板１４は、前面２３および後面２４と、上下方向下方に位置して横方向へ延びる下端縁２５（第１板１３の前端縁２０）と、上下方向上方に位置して横方向へ延びる上端縁２６と、上下端縁２５，２６の間に位置して上下方向へ延びる両側縁２７とを有する。第２板１４は、嵌合部１１を鋼材４１のフランジ４２に嵌め込んだときに、その後面２４がフランジ４２の端面４４に当接する。第２板１４の下端縁２５から上端縁２６までの上下方向の長さ寸法Ｌ３は、鋼材４１のフランジ４２の厚み寸法Ｌ１０と略同一またはフランジ４２の厚み寸法Ｌ１０よりもわずかに大きい。
【００４７】
第２板１４の上下方向の長さ寸法Ｌ３に特に制限はなく、鋼材４１のフランジ４２の厚み寸法Ｌ１０にあわせて長さ寸法Ｌ３を自由に設定することができ、第２板の両側縁２７の間の横方向の幅寸法Ｌ４に特に制限はなく、鋼材４１のフランジ４２の長さ（大きさ）やデッキプレート４６の大きさ等にあわせて幅寸法Ｌ４を自由に設定することができる。第２板１４の平面形状に特に制限はなく、方形の他に、他のあらゆる形状を採用することができる。
【００４８】
第３板１５（第３板部分）は、前後方向へ長く、その平面形状が方形（長方形）である。第３板１５は、第２板１４の上端縁２６に一体につながり、第２板１４に対して略直交している。第３板１５は、上面２８および下面２９と、前後方向前方に位置して横方向へ延びる前端縁３０（第２板１４の上端縁２６）と、前後方向後方に位置して横方向へ延びる後端縁３１と、前後端縁３０，３１の間に位置して前後方向へ延びる両側縁３２とを有する。第３板１５の上面２８には、デッキプレート４６の端部４７が載置される。第３板１５は、その前端縁３０から後端縁３１に向かって第１板１３に次第に近づくように下り勾配に傾斜している。第１板１３の後端縁２１と第３板１５の後端縁３１との間の離間寸法Ｌ５は、第３板１５が下り勾配に傾斜することで、フランジ４２の厚み寸法Ｌ１０よりも小さい。
【００４９】
第３板１５の前端縁３０から後端縁３１までの前後方向の長さ寸法Ｌ６や両側縁３２の間の横方向の幅寸法Ｌ７に特に制限はなく、鋼材４１のフランジ４２の長さ（大きさ）やデッキプレート４６の大きさ等にあわせて長さ寸法Ｌ６や幅寸法Ｌ７を自由に設定することができる。第３板１５の平面形状に特に制限はなく、方形の他に、他のあらゆる形状を採用することができる。
【００５０】
第１板１３および第３板１５の弾性力に抗し、第１板１３に上下方向下方への力を作用させるとともに、第３板１５に上下方向上方への力（第１および第３板１３，１５を離間させる方向への力）を作用させることで、第１および第３板１３，１５を上下方向へ拡げる（上下方向へ離間させる）ことができる。第１および第３板１３，１５に加えた上下方向へ拡げる力を解除すると、第１および第３板１３，１５が弾性変形して元の形状に戻る。第３板１４は、嵌合部１１を鋼材のフランジに嵌め込んだときに、その下面２９がフランジ４２の上面４５に当接する。第３板１５は、それにデッキプレート４６の端部４７を載置したときに、その上面３０がデッキプレート４６の端部４７の下面４８に当接（密着）する。
【００５１】
第４板１６（第４板部分）は、上下方向へ長く、その平面形状が方形（長方形）である。第４板１６は、第３板１５の後端縁３１に一体につながり、第３板１５に対して略直交している。第４板１６は、前面３３および後面３４と、上下方向下方（前後方向後方）に位置して横方向へ延びる下端縁３５（第３板１５の後端縁３１）と、上下方向上方（前後方向前方）に位置して横方向へ延びる上端縁３６と、上下端縁３５，３６の間に位置して上下方向（前後方向）へ延びる両側縁３７とを有する。第４板１６は、その下端縁３５から上端縁３６に向かって第３板１５に次第に近づくように上り勾配に傾斜している。なお、第４板１６が傾斜することなく、第４板１６が上下方向へ直状に延びていてもよく、第４板１６がその下端縁３５から上端縁３６に向かって第３板１５から次第に離間するように傾斜していてもよい。
【００５２】
第４板１６は、連結金具１０Ａの使用時に前後方向前方へ折り曲げられる。前後方向前方へ折り曲げられた第４板１６は、塑性変形して前後方向へ延びる。第４板１６は、前後方向前方へ折り曲げられたときに、その前面３３がデッキプレート４６の端部４７の上面４９に当接（密着）する。第４板の下端縁３５から上端縁３６までの上下方向（前後方向）の長さ寸法Ｌ８や両側縁３７の間の横方向の幅寸法Ｌ９に特に制限はなく、鋼材４１のフランジ４２の長さ（大きさ）やデッキプレート４６の大きさ等にあわせて長さ寸法Ｌ８や幅寸法Ｌ９を自由に設定することができる。第４板１６の平面形状に特に制限はなく、方形の他に、他のあらゆる形状を採用することができる。
【００５３】
デッキプレート連結金具１０Ａでは、第１板１３の前端縁２０から後端縁２１までの長さ寸法Ｌ１が第３板１５の前端縁３０から後端縁３１までの長さ寸法Ｌ６よりも長く（大きく）、第１板１３の後端縁２１を含むその近傍３８（後端部）が第３板１５の後端縁３１の前後方向後方に位置している。デッキプレート連結金具１０Ａでは、第４板１６の下端縁３５から上端縁３６までの長さ寸法Ｌ８が第３板１５の前端縁３０から後端縁３１までの長さ寸法Ｌ６よりも長く（大きく）、第４板１６が前後方向前方へ折り曲げられたときに第４板１６の上端縁３６を含むその近傍３９（上端部）が第３板１５の前端縁３０から前後方向前方に位置する。
【００５４】
螺子部材１７は、鋼材４１のフランジ４２から前後方向前方に位置するデッキプレートの端部とフランジ４２から前後方向前方に位置する第４板１６の上端縁３５を含むその近傍３９（上端部）とを連結する。螺子部材１７には、鉄用ビスが使用されているが、連結釘やボルトおよびナットを使用することもできる。螺子部材１７として鉄用ビスを使用する場合、鉄用ビスが電動ドライバーによってデッキプレート４６の端部４７と第４板１６の上端縁３５を含むその近傍３９とに螺着される。螺子部材１７として連結釘を使用する場合、連結釘が釘打ち機によってデッキプレート４６の端部４７と第４板１６の上端縁３５を含むその近傍３９とに打ち込まれる。螺子部材１７としてボルトおよびナットを使用する場合、ボルトがデッキプレート４６の端部４７と第４板１６の上端縁３５を含むその近傍３９とに挿通され、ナットがボルトに螺着される。
【００５５】
図６は、Ｈ形鋼４１ａのフランジ４２にデッキプレート連結金具１０Ａを取り付ける取付手順の一例を説明する図であり、図７は、図６から続く取付手順を説明する図である。図８は、Ｈ形鋼４１ａのフランジ４２にデッキプレート連結金具１０Ａを取り付けた後の図である。
【００５６】
それら図では、梁４０としてＨ形鋼４０ａを図示しており、したがって、梁４０を形成する鋼材４１はＨ形鋼４１ａになる。なお、デッキプレート連結金具１０Ａ（デッキプレート連結金具１０Ｂ，１０Ｃを含む）は、図示例のデッキプレート４６のみならず、あらゆる形状や構造のデッキプレートに使用することができ、あらゆる形状や構造のデッキプレートを鋼材４１に連結するデッキプレート連結方法において利用することができる。
【００５７】
デッキプレート連結金具１０Ａやデッキプレート連結金具１０Ａを利用したデッキプレート連結方法では、デッキプレート連結金具１０Ａの嵌合部１１をＨ形鋼４１ａのフランジ４２に嵌め込んで連結金具１０Ａをフランジ４２に取り付ける嵌合工程と、連結金具１０Ａの挟持部１２でデッキプレート４６の端部４７を挟み込んでデッキプレート４６の端部４７をＨ形鋼１０ａのフランジ４２連結する挟持工程と、螺子部材１７によってデッキプレート連結金具１０Ａの第４板１６とデッキプレート４６の端部４７とを連結する螺着工程とを実施することによってデッキプレート４６がＨ形鋼４１ａ（鋼材４１）のフランジ４２に連結される。
【００５８】
嵌合工程では、たとえば図６に示すように、デッキプレート連結金具１０Ａの第４板１６を把持し、デッキプレート連結金具１０Ａの第１板１３の後端縁２１を含むその近傍３８（後端部）をＨ形鋼４１ａのフランジ４２の下面４３の側に位置させた後、近傍３８をフランジ４２の下面４３に当接させる。次に、第１板の後端縁２１を含むその近傍３８をフランジ４２の下面４３に引っ掛けた状態で、図６に矢印Ｃ１で示すように、第４板１６を上方へ引き上げ、第１板１３の弾性力に抗して第１板１３を下方へ押圧するように第１板１３に上下方向下方への力を作用させるとともに、第３板１５の弾性力に抗して第３板１５を上方へ押圧するように第３板１５に上下方向上方への力を作用させ、図６に矢印Ｃ２で示すように、第１および第３板１３，１５を上下方向へ拡げる（上下方向へ離間させる）。
【００５９】
第１および第３板１３，１５を上下方向へ拡げて第１板１３の後端縁２１と第３板１５の後端縁３１との間の離間寸法Ｌ５（図４参照）をフランジ４２の厚み寸法Ｌ１０よりも大きくしつつ、図７に矢印Ａ１で示すように、デッキプレート連結金具１０Ａ（第１板１３および第３板１５）を前後方向後方へスライドさせて第１板１３と第３板１５との間にＨ形鋼４１ａのフランジ４２を挿入し、嵌合部１１をＨ形鋼４１ａのフランジ４２に嵌め込む。第２板１４の後面２４がフランジ４２の端面４４に当接した時点で、第４板１６を離して第１板１３に作用させた上下方向下方への力を解除し、第３板１５に作用させた上下方向上方への力を解除する。
【００６０】
第１板１３や第３板１５に作用させた力を解除すると、第１板１３や第３板１５が弾性変形して第１板１３の上面１８の略全域がフランジ４２の下面４３に当接（密着）するとともに、第３板１５の下面２９の略全域がフランジ４２の上面４５に当接（密着）し、第１板１３と第３板１５とがフランジ４２を挟み込んだ状態でデッキプレート連結金具１０ＡがＨ形鋼４１ａのフランジ４２に取り付けられる。既述の取付手順によってＨ形鋼４１ａのフランジ４２に複数のデッキプレート連結金具１０Ａを取り付ける。それらデッキプレート連結金具１０Ａは、フランジ４２において横方向へ所定寸法離間した状態で並ぶ（図１０参照）。
【００６１】
デッキプレート連結金具１０Ａおよびデッキプレート連結金具１０Ａを利用したデッキプレート連結方法は、第１板１３の前端縁２０から後端縁２１までの長さ寸法Ｌ１（図４参照）が第３板１５の前端縁３０から後端縁３１までの長さ寸法Ｌ６（図５参照）よりも長く、第１板１３の後端縁３１を含むその近傍３８（後端部）が第３板１５の後端縁３１の前後方向後方に位置し、第１板１３の後端縁３１を含むその近傍３８をＨ形鋼４１ａ（鋼材４１）のフランジ４２の下面４３に引っ掛けた状態で第１板１３と第３板１５とが上下方向へ離間するようにそれら板１３，１５を上下方向へ拡げつつ嵌合部１１をフランジ４２に嵌め込むから、嵌合部１１をフランジ４２に容易に嵌め込むことができ、嵌合部１１を介して連結金具１０Ａをフランジ４２に迅速に取り付けることができる。
【００６２】
デッキプレート連結金具１０Ａおよびデッキプレート連結金具１０Ａを利用したデッキプレート連結方法は、第１および第３板１３，１５の弾性力に抗して第１および第３板１３，１５を上下方向へ拡げ、その状態で第１〜第３板１３〜１５から形成された嵌合部１１をＨ形鋼４１ａ（鋼材４１）のフランジ４２に嵌め込むことで、第１板がフランジ４２の下面４３に当接（密着）し、第２板１４がフランジ４２の端面４４に当接（密着）するとともに、第３板１５がフランジ４２の上面４５に当接（密着）するから、第１および第３板１３，１５の弾性変形を利用してそれら板１３〜１５をフランジ４２に密着させるこ  とができる。デッキプレート連結金具１０Ａおよびデッキプレート連結金具１０Ａを利用したデッキプレート連結方法は、第１および第３板１３，１５がＨ形鋼４１ａ（鋼材４１）のフランジ４２を強く挟み込み、フランジ４２に対して嵌合部１１が不用意に遊動することはなく、第１〜第３板１３〜１５から形成された嵌合部１１をフランジ４２に嵌め込むことでデッキプレート連結金具１０ＡをＨ形鋼４１ａのフランジ４２に確実に取り付けることができる。
【００６３】
図９は、デッキプレート連結金具１０Ａの第３板１５の上面２８にデッキプレート４６の端部４７を載置した後の図であり、図１０は、デッキプレート連結金具１０Ａの第３板１５の上面２８にデッキプレート４６の端部４７を載置した状態の斜視図である。図１１は、デッキプレート連結金具１０Ａを使用してＨ形鋼４１ａのフランジ４２にデッキプレート４６を連結する連結手順の一例を説明する図であり、図１２は、図１１から続く連結手順を説明する図である。図１３は、図１２から続く連結手順を説明する図である。
【００６４】
複数のデッキプレート連結金具１０ＡをＨ形鋼４１ａのフランジ４２に取り付けた後（嵌合工程の後）、挟持工程が実施される。挟持工程では、それらデッキプレート連結金具１０Ａの第３板１５の上面２８にデッキプレート４６の端部４７を載置する（載せる）。デッキプレート４６は所定の連結手段（図示せず）によって横方向へ連結され、図１０に示すように、複数のデッキプレート４６がＨ形鋼４１ａのフランジ４２に沿って横方向へ連続して並ぶ。
【００６５】
第３板１５の上面２８にデッキプレート４６の端部４７を載置した後、図１１に矢印Ａ２で示すように、デッキプレート連結金具１０Ａの第４板１６を足または手で第４板１６の後面３４を前後方向前方へ押圧し、第４板１６を第３板１５に向かって前後方向前方へ折り曲げ、第４板１６をデッキプレート４６の端部４７に当接させる。
【００６６】
第４板１６を折り曲げると、図１２に示すように、第４板１６の前面３３（下面）がデッキプレート４６の端部４７の上面４９に密着し、第３板１５の上面２８がデッキプレート３６の端部４７の下面４８に密着し、第４板１６の上端縁３６を含むその近傍３９（上端部）が第３板１５の前端縁３０から前後方向前方に位置（延在）する。挟持工程では、挟持部１２によってデッキプレート４６の端部４７が挟み込まれ、デッキプレート４６の端部４７がＨ形鋼４１ａのフランジ４２に連結される。
【００６７】
デッキプレート連結金具１０Ａおよびデッキプレート連結金具１０Ａを利用したデッキプレート連結方法は、下端縁３５から上端縁３６に向かって第３板１５に次第に近づくように上り勾配に傾斜する第４板１６を下方（前後方向前方）に向かって容易に押圧することができ、第４板１６を第３板１５に向かって前後方向前方へ容易に折り曲げることができる。
【００６８】
デッキプレート連結金具１０Ａおよびデッキプレート連結金具１０Ａを利用したデッキプレート連結方法は、第４板１６と第３板１５とでデッキプレート４６の端部４７を挟み込むから、第３および第４板１５，１６をデッキプレート４６の端部４７の上下面４８，４９に確実に当接（密着）させることができ、第４板１６の上端縁３６を含むその近傍３９（上端部）が第３板１５の前端縁３０から前後方向前方に位置（延在）することで、第４板１６をデッキプレート４６の端部４７の上面４９に広範囲に当接（密着）させることができ、第３および第４板１５，１６から形成された挟持部１２を介してデッキプレート４６の端部４７をＨ形鋼４１ａのフランジ４２に確実に連結することができる。
【００６９】
挟持部１２によってデッキプレート４６の端部４７を挟み込んだ後（挟持工程の後）、螺着工程が実施される。螺着工程では、第３板１５の前端縁３０から前後方向前方に位置（延在）する第４板１６の上端縁３６を含むその近傍３９（上端部）とＨ形鋼４１ａのフランジ４２から前後方向前方に位置するデッキプレート４６の端部４７とに鉄用ビス１７（螺子部材）を螺着し、第３板１５の前端縁３０から前後方向前方に位置する第４板１６の上端縁３６を含むその近傍３９をフランジ４２から前後方向前方に位置するデッキプレート４６の端部４７に連結する。
【００７０】
鉄用ビス１７は、電動ドライバーによってデッキプレート４６の端部４７と第４板１６の上端縁３５を含むその近傍３９とに螺着される。なお、１本の鉄用ビス１７が第４板１６の上端縁３６を含むその近傍３９とデッキプレート４６の端部４７とに螺着されているが、２本以上の鉄用ビス１７が第４板１６の上端縁３６を含むその近傍３９とデッキプレート４６の端部４７とに螺着され、２本以上の鉄用ビス１７によって第４板１６の上端縁３６を含むその近傍３９がデッキプレート４６の端部４７に連結されていてもよい。螺着工程が終了した後、デッキプレート４６の上面４９に鉄筋が配筋され、デッキプレート４６の上面４９に所定の被り寸法でコンクリートが打設される。コンクリートを所定期間養生することで床スラブや天井スラブ、屋根スラブ等の鉄筋コンクリート構造物が構築される。
【００７１】
デッキプレート連結金具１０Ａおよびデッキプレート連結金具１０Ａを利用したデッキプレート連結方法は、Ｈ形鋼４１ａ（鋼材４１）のフランジ４２から前後方向前方に位置するデッキプレート４６の端部４７とフランジ４２から前後方向前方に位置する第４板１６の上端縁３６を含むその近傍３９とを鉄用ビス１７（螺子部材）によって連結することで、第３および第４板１５，１６から形成された連結金具１０Ａの挟持部１２によってデッキプレート４６の端部４７を挟み込むのみならず、鉄用ビス１７（螺子部材）によってＨ形鋼４１ａのフランジ４２とデッキプレート４６の端部４７とを連結することができ、挟持部１２と鉄用ビス１７（螺子部材）とを介してデッキプレート４６の端部４７をＨ形鋼４１ａのフランジ４２に確実に連結することができる。
【００７２】
デッキプレート連結金具１０Ａおよびデッキプレート連結金具１０Ａを利用したデッキプレート連結方法は、嵌合工程において第１板１３がＨ形鋼４１ａ（鋼材４１）のフランジ４２の下面４３に当接（密着）し、第２板１４がフランジ４２の端面４４に当接（密着）するとともに、第３板１５がフランジ４２の上面４５に当接（密着）するから、第１〜第３板１３〜１５から形成された嵌合部１１をフランジ４２に嵌め込むことで連結金具１０ＡをＨ形鋼４１ａのフランジ４２に確実に取り付けることができ、挟持工程において第３板１５がデッキプレート４６の端部４７の下面４８に当接（密着）し、前後方向前方へ折り曲げられた第４板１６がデッキプレート４６の端部４７の上面４９に当接（密着）することで、第３および第４板１５，１６がデッキプレート４６の端部４７を挟み込むから、第３および第４板１５，１６から形成された挟持部１２を介してデッキプレート４６の端部４７をＨ形鋼４１ａのフランジ４２に確実に連結することができる。
【００７３】
デッキプレート連結金具１０Ａおよびデッキプレート連結金具１０Ａを利用したデッキプレート連結方法は、第１〜第３板１３〜１５から形成された連結金具１０Ａの嵌合部１１をＨ形鋼４１ａ（鋼材４１）のフランジ４２に嵌め込み、第３および第４板１５，１６から形成された連結金具１０Ａの挟持部１２によってデッキプレート４６の端部４７を挟み込むことで、Ｈ形鋼４１ａのフランジ４２とデッキプレート４６とを連結することができるから、溶接作業が不要となり、溶接作業にともなう手間や時間を要することはなく、Ｈ形鋼４１ａ（梁４０）のフランジ４２とデッキプレート４６とを迅速かつ効率的に連結することができるとともに、Ｈ形鋼４１ａのフランジ４２とデッキプレート４６との連結作業において火花が発生することはなく、火気を嫌う場所においてＨ形鋼４１ａのフランジ４２とデッキプレート４６とを連結することができる。
【００７４】
図１４は、他の一例として示すデッキプレート連結金具１０Ｂの斜視図であり、図１５は、デッキプレート連結金具１０Ｂの側面図である。このデッキプレート連結金具１０Ｂが図１のそれと異なるところは、第３板がその前端縁から後端縁に向かって第１板に次第に近づくように下り勾配に傾斜するとともに、第１板がその前端縁から後端縁に向かって第３板に次第に近づくように上り勾配に傾斜している点にあり、その他の構成は図１のデッキプレート連結金具１０Ａのそれらと同一であるから、図１のデッキプレート連結金具１０Ａの説明を援用するとともに、図１と同一の符号を付すことで、このデッキプレート連結金具１０Ｂのその他の詳細な説明は省略する。
【００７５】
デッキプレート連結金具１０Ｂは、デッキプレート連結金具１０Ａと同様に、梁４０を形成する鋼材４１のフランジ４２に嵌め込む嵌合部１１と、鋼材４１のフランジ４２に載置されたデッキプレート４６の端部４７を挟み込む挟持部１２とを有する。デッキプレート連結金具１０Ｂは、前後方向へ延びる所定面積の第１板１３（第１板部分）と、上下方向へ延びる所定面積の第２板１４（第２板部分）と、前後方向へ延びる所定面積の第３板１５（第３板部分）と、上下方向へ延びる所定面積の第４板１６（第４板部分）と、螺子部材１７（図１３参照）とから形成されている。嵌合部１１は、第１板１３と第２板１４と第３板１５とから形成され、挟持部１２は、第３板１５と第４板１６とから形成されている。第１板〜第４板１３〜１６は、図１のデッキプレート連結金具１０Ａのそれらと同一である。
【００７６】
第１板１３は、その前端縁２０から後端縁２１に向かって第３板１５に次第に近づくように上り勾配に傾斜している。第３板１５は、その前端縁３０から後端縁３１に向かって第１板１３に次第に近づくように下り勾配に傾斜している。第１板１３の後端縁２１と第３板１５の後端縁３１との間の離間寸法Ｌ５は、第３板１５が下り勾配に傾斜することで、フランジ４２の厚み寸法Ｌ１０よりも小さい。なお、第１板１３のみが傾斜し、第３板１５が傾斜しておらず、第３板１５が前後方向へ直状に延びていてもよい。
【００７７】
デッキプレート連結金具１０Ｂやデッキプレート連結金具１０Ｂを利用したデッキプレート連結方法では、デッキプレート連結金具１０Ｂの嵌合部１１をＨ形鋼４１ａのフランジ４２に嵌め込んで連結金具１０Ｂをフランジ４２に取り付ける嵌合工程と、連結金具１０Ｂの挟持部１２でデッキプレート４６の端部４７を挟み込んでデッキプレート４６の端部４７をＨ形鋼１０ａのフランジ４２連結する挟持工程と、螺子部材１７によってデッキプレート連結金具１０Ｂの第４板１６とデッキプレート４６の端部４７とを連結する螺着工程とを実施することによってデッキプレート４６がＨ形鋼４１ａ（鋼材４１）のフランジ４２に連結される。
【００７８】
嵌合工程や挟持工程、螺着工程は、デッキプレート連結金具１０Ａを利用したデッキプレート連結方法のそれらと同一である。デッキプレート連結金具１０Ｂやデッキプレート連結金具１０Ｂを利用したデッキプレート連結方法は、デッキプレート連結金具１０Ａやデッキプレート連結金具１０Ａを利用したデッキプレート連結方法と同一の効果を有する。
【００７９】
図１６は、他の一例として示すデッキプレート連結金具１０Ｃの斜視図であり、図１７は、デッキプレート連結金具１０Ｃを利用してデッキプレート４６の端部４７をＨ形鋼４１ａ（鋼材４１）のフランジ４２に連結した場合の斜視図である。このデッキプレート連結金具１０Ｂが図１のそれと異なるところは、第４板１６の下端縁３５から上端縁３６までの上下方向の長さ寸法Ｌ８が連結金具１０Ａの第４板１６のそれよりも長く、第４板１６の両側縁３７の間の横方向の幅寸法Ｌ９が連結金具１０Ａの第４板１６のそれよりも長い点、第４板１６の下端縁３５に横方向へ間欠的に並ぶ貫通孔５０または横方向へ間欠的に並ぶ肉薄部５０が形成されている点、４本の鉄用ビス１７が第４板１６の上端縁３６を含むその近傍３９とデッキプレート４６の端部４７とに螺着されている点にある。デッキプレート連結金具１０Ｂのその他の構成は図１のデッキプレート連結金具１０Ａのそれらと同一であるから、図１のデッキプレート連結金具１０Ａの説明を援用するとともに、図１と同一の符号を付すことで、このデッキプレート連結金具１０Ｃのその他の詳細な説明は省略する。
【００８０】
デッキプレート連結金具１０Ｃは、デッキプレート連結金具１０Ａと同様に、梁４０を形成する鋼材４１のフランジ４２に嵌め込む嵌合部１１と、鋼材４１のフランジ４２に載置されたデッキプレート４６の端部４７を挟み込む挟持部１２とを有する。デッキプレート連結金具１０Ｃは、前後方向へ延びる所定面積の第１板１３（第１板部分）と、上下方向へ延びる所定面積の第２板１４（第２板部分）と、前後方向へ延びる所定面積の第３板１５（第３板部分）と、上下方向へ延びる所定面積の第４板１６（第４板部分）と、螺子部材１７（図１３参照）とから形成されている。嵌合部１１は、第１板１３と第２板１４と第３板１５とから形成され、挟持部１２は、第３板１５と第４板１６とから形成されている。第１板〜第３板１３〜１５は、図１のデッキプレート連結金具１０Ａのそれらと同一である。
【００８１】
第４板１６（第４板部分）は、上下方向へ長く、その平面形状が方形（長方形）である。第４板１６は、第３板１５の後端縁３１に一体につながり、第３板１５に対して略直交している。第４板１６は、前面３３および後面３４、下端縁３５（第３板１５の後端縁３１）および上端縁３６、延びる両側縁３７を有する。第４板１６は、その下端縁３５から上端縁３６に向かって第３板１５に次第に近づくように上り勾配に傾斜している。なお、第４板１６が傾斜することなく、第４板１６が上下方向へ直状に延びていてもよく、第４板１６がその下端縁３５から上端縁３６に向かって第３板１５から次第に離間するように傾斜していてもよい。
【００８２】
デッキプレート連結金具１０Ｃでは、第４板１６の下端縁３５から上端縁３６までの長さ寸法Ｌ８が連結金具１０Ａ，１０Ｂの第４板１６の下端縁３５から上端縁３６までのそれよりも長く（大きく）、第４板１６の両側縁３７の間の幅寸法Ｌ９が連結金具１０Ａ，１０Ｂの両側縁３７の間のそれよりも長い（大きい）。デッキプレート連結金具１０Ｃでは、第４板１６の下端縁３５から上端縁３６までの長さ寸法Ｌ８が第３板１５の前端縁３０から後端縁３１までの長さ寸法Ｌ６よりも長く（大きく）、第４板１６の両側縁３７の間の幅寸法Ｌ９が第１〜第３板１３〜１５の両側縁３７の間の幅寸法Ｌ２，Ｌ４，Ｌ７よりも長い（大きい）。第４板は、その面積が連結金具１０Ａ，１０Ｂの第４板１６のそれよりも大きい。
【００８３】
第４板１６の下端縁３５（第３板１５の後端部３１）には、複数の貫通孔５０または複数の肉薄部５０が形成されている。それら貫通孔５０は、下端部３５に位置する第４板１６（後端部３１に位置する第３板１５）を貫通し、横方向へ間欠的に並んでいる。それら肉薄部５０は、第４板１６（第３板１５）の厚み寸法が小さい（薄い）部分であり、横方向へ間欠的に並んでいる。第４板１６の下端縁３５（第３板１５の後端部３１）に横方向へ並ぶ複数の貫通孔５０または横方向へ並ぶ複数の肉薄部５０が形成されているから、第３板１５に対して第４板１６が折り曲げ容易になっている。
【００８４】
第４板１６は、連結金具１０Ｃの使用時に前後方向前方へ折り曲げられる。前後方向前方へ折り曲げられた第４板１６は、塑性変形して前後方向へ延びる。第４板１６は、前後方向前方へ折り曲げられたときに、その前面３３がデッキプレート４６の端部４７の上面４９に当接（密着）するとともに、第４板１６の上端縁３６を含むその近傍３９（上端部）が第３板１５の前端縁３０から前後方向前方に位置（延在）する。
【００８５】
デッキプレート連結金具１０Ｃやデッキプレート連結金具１０Ｃを利用したデッキプレート連結方法では、デッキプレート連結金具１０Ｃの嵌合部１１をＨ形鋼４１ａのフランジ４２に嵌め込んで連結金具１０Ｃをフランジ４２に取り付ける嵌合工程と、連結金具１０Ｃの挟持部１２でデッキプレート４６の端部４７を挟み込んでデッキプレート４６の端部４７をＨ形鋼１０ａのフランジ４２連結する挟持工程と、螺子部材１７によってデッキプレート連結金具１０Ｃの第４板１６とデッキプレート４６の端部４７とを連結する螺着工程とを実施することによってデッキプレート４６がＨ形鋼４１ａ（鋼材４１）のフランジ４２に連結される。
【００８６】
嵌合工程や挟持工程、螺着工程は、デッキプレート連結金具１０Ａを利用したデッキプレート連結方法のそれらと同一である。なお、螺着工程では、第３板１５の前端縁３０から前後方向前方に位置（延在）する第４板１６の上端縁３６を含むその近傍３９（上端部）とＨ形鋼４１ａのフランジ４２から前後方向前方に位置するデッキプレート４６の端部４７とに４本の鉄用ビス１７（螺子部材）を螺着し、第３板１５の前端縁３０から前後方向前方に位置する第４板１６の上端縁３６を含むその近傍３９をフランジ４２から前後方向前方に位置するデッキプレート４６の端部４７に連結する。
【００８７】
デッキプレート連結金具１０Ｃやデッキプレート連結金具１０Ｃを利用したデッキプレート連結方法は、デッキプレート連結金具１０Ａやデッキプレート連結金具１０Ａを利用したデッキプレート連結方法が有する効果に加え、以下の効果を有する。デッキプレート連結金具１０Ｃやデッキプレート連結金具１０Ｃを利用したデッキプレート連結方法は、第４板１６の下端縁３５から上端縁３６までの長さ寸法Ｌ８が第３板１５の前端縁３０から後端縁３１までの長さ寸法Ｌ６よりも長く、第４板１６の両側縁３７の間の幅寸法Ｌ９が第１〜第３板１３〜１５の両側縁３７の間の幅寸法Ｌ２，Ｌ４，Ｌ７よりも長く、その面積が大きいから、第４板１６をデッキプレート４６の端部４７の上面４９に広範囲に当接（密着）させることができ、第３および第４板１５，１６から形成された挟持部１２を介してデッキプレート４６の端部４７をＨ形鋼４１ａのフランジ４２に確実に連結することができる。
【００８８】
デッキプレート連結金具１０Ｃやデッキプレート連結金具１０Ｃを利用したデッキプレート連結方法は、第４板１６の下端縁３５（第３板１５の後端部３１）に複数の貫通孔５０または複数の肉薄部５０が形成され、第３板１５に対して第４板１６が折り曲げ容易になっているから、挟持工程において第４板１６を第３板１５に向かって前後方向前方へ容易に折り曲げることができ、連結金具１０Ｃの挟持部１２でデッキプレート４６の端部４７を容易に挟み込むことができる。
【００８９】
デッキプレート連結金具１０Ｃやデッキプレート連結金具１０Ｃを利用したデッキプレート連結方法は、Ｈ形鋼４１ａ（鋼材４１）のフランジ４２から前後方向前方に位置するデッキプレート４６の端部４７とフランジ４２から前後方向前方に位置する第４板１６の上端縁３６を含むその近傍３９とを４本の鉄用ビス１７（螺子部材）によって連結することで、それら鉄用ビス１７（螺子部材）によってＨ形鋼４１ａのフランジ４２とデッキプレート４６の端部４７とを確実に連結することができ、連結金具１０Ｃに対してデッキプレート４６がズレ動くことはなく、挟持部１２とそれら鉄用ビス１７（螺子部材）とを介してデッキプレート４６の端部４７をＨ形鋼４１ａのフランジ４２に確実に連結することができる。
【符号の説明】
【００９０】
１０Ａ  デッキプレート連結金具
１０Ｂ  デッキプレート連結金具
１０Ｃ  デッキプレート連結金具
１１    嵌合部
１２    挟持部
１３    第１板（第１板部分）
１４    第２板（第２板部分）
１５    第３板（第３板部分）
１６    第４板（第４板部分）
１７    螺子部材（鉄用ビス）
１８    上面
１９    下面
２０    前端縁
２１    後端縁
２２    両側縁
２３    前面
２４    後面
２５    下端縁
２６    上端縁
２７    両側縁
２８    上面
２９    下面
３０    前端縁
３１    後端縁
３２    両側縁
３３    前面
３４    後面
３５    下端縁
３６    上端縁
３７    両側縁
３８    後端縁近傍（後端縁を含むその近傍）
３９    上端縁近傍（上端縁を含むその近傍）
４０    梁
４０ａ  Ｈ形鋼
４１    鋼材
４１ａ  Ｈ形鋼
４２    フランジ
４３    下面
４４    端面
４５    上面
４６    デッキプレート
４７    端部
４８    下面
４９    上面
５０    貫通孔または肉薄部
【図１】
2018115449.tif 000003
【図２】
2018115449.tif 000004
【図３】
2018115449.tif 000005
【図４】
2018115449.tif 000006
【図５】
2018115449.tif 000007
【図６】
2018115449.tif 000008
【図７】
2018115449.tif 000009
【図８】
2018115449.tif 000010
【図９】
2018115449.tif 000011
【図１０】
2018115449.tif 000012
【図１１】
2018115449.tif 000013
【図１２】
2018115449.tif 000014
【図１３】
2018115449.tif 000015
【図１４】
2018115449.tif 000016
【図１５】
2018115449.tif 000017
【図１６】
2018115449.tif 000018
【図１７】
2018115449.tif 000019